(57)【要約】【課題】電子機器のジャックに装着される装飾物を安定に保持できる装飾部保持具を提供する。【課題手段】装飾物１０のプラグ１１が挿入される孔２７の内壁にプラグ１１と当接して変形する弾性部材３１ａ，３１ｂが設けられているため、孔２７に挿入されたプラグ１１が弾性部材３１ａ，３１ｂの弾性力によって締め付けられて孔２７から容易に抜け落ちなくなる。従って、装飾物１０のプラグ１１を安定に保持することできる。【選択図】  図７
2013215489.tif 000002
【特許請求の範囲】
【請求項１】
電子機器のジャックに挿入可能なプラグを備えた装飾物を保持する装飾物保持具であって、
前記装飾物のプラグが挿入される孔と、
前記孔の内壁に設けられ、前記孔に挿入される前記プラグと当接して変形する弾性部材と、
を有する装飾物保持具。
【請求項２】
前記弾性部材は、リング状に形成されており、
前記孔の内壁において前記リング状の弾性部材と嵌合するリング状の溝を備える、
請求項１に記載の装飾物保持具。
【請求項３】
前記装飾物のプラグは、先端の部分に比べて根元の部分が太くなっており、
前記プラグの全体を前記孔へ挿入した状態において前記プラグの前記根元部分に当接する少なくとも１つのリング状の第１弾性部材を有する、
請求項２に記載の装飾物保持具。
【請求項４】
前記プラグの全体を前記孔へ挿入した状態において前記プラグの前記先端部分に当接する少なくとも１つのリング状の第２弾性部材を有し、
前記第２弾性部材の内径が前記第１弾性部材の内径に比べて小さい、
請求項３に記載の装飾物保持具。
【請求項５】
前記孔に前記プラグが挿入されていない状態において前記孔を塞ぐための蓋を有する、
請求項３又は４に記載の装飾物保持具。
【請求項６】
前記蓋は、前記孔に挿入された場合に前記第１弾性部材と当接する凸部を有する、
請求項５に記載の装飾物保持具。
【請求項７】
前記孔が形成された本体部と、
前記本体部に固定されたストラップと
を有する請求項１乃至６の何れか一項に記載の装飾物保持具。
【発明の詳細な説明】
【技術分野】
【０００１】
本発明は、スマートフォン等の電子機器のジャックに装着される装飾物を保持するための装飾物保持具に関するものである。
【背景技術】
【０００２】
スマートフォンや携帯電話機、携帯型ゲーム機などの小型の電子機器には、イヤホンのプラグを挿すためのイヤホンジャックを備えているものが多い。これらの電子機器は主に携帯して使用され、屋外に持ち運ばれることが多いため、イヤホンジャックには埃やゴミが入りやすい。
【０００３】
そこで、イヤホンを使用しない場合、電子機器のイヤホンジャックに挿して埃等の侵入を防ぐとともに、イヤホンジャックに挿入した状態において電子機器の外側に現れる部分に宝石や装飾玉などの装飾が施されたアクセサリ（電子機器用の装飾物）が考案されている（下記の特許文献１を参照）。
【先行技術文献】
【特許文献】
【０００４】
【特許文献１】実用新案登録第３１７１３４９号明細書
【発明の概要】
【発明が解決しようとする課題】
【０００５】
しかしながら、イヤホンを使用する場合、上記のアクセサリをイヤホンジャックから抜いてどこかに仕舞っておく必要がある。この場合、例えば鞄や衣服のポケット等に入れたりすると、他の物品の中に紛れてしまって必要なとき直ぐに見つけられないという問題がある。
また、デザインが異なる複数の上記アクセサリを所有している場合、１つのアクセサリを電子機器に挿している間は、他のアクセサリをどこかに仕舞っておく必要がある。この場合も、上述と同様な問題が生じる。
そのため、上記のようなアクセサリを未使用時に装着させておくことが可能であり、装着時にはアクセサリが容易に外れて紛失しまうことがないよう安定に保持できる保持具が要望されている。
【０００６】
本発明はかかる事情に鑑みてなされたものであり、その目的は、電子機器のジャックに装着される装飾物を安定に保持できる装飾部保持具を提供することにある。
【課題を解決するための手段】
【０００７】
本発明に係る装飾物保持具は、電子機器のジャックに挿入可能なプラグを備えた装飾物を保持する装飾物保持具であって、前記装飾物のプラグが挿入される孔と、前記孔の内壁に設けられた弾性部材とを有する。前記弾性部材は、前記孔に挿入される前記プラグと当接して変形する。
【０００８】
好適に、前記弾性部材は、リング状に形成されてよい。この場合、上記装飾物保持具は、前記孔の内壁において前記リング状の弾性部材と嵌合するリング状の溝を備えてよい。
【０００９】
好適に、前記装飾物のプラグは、先端の部分に比べて根元の部分が太くなっていてよい。この場合、上記装飾物保持具は、前記プラグの全体を前記孔へ挿入した状態において前記プラグの前記根元部分に当接する少なくとも１つのリング状の第１弾性部材を有してよい。
【００１０】
好適に、上記装飾物保持具は、前記プラグの全体を前記孔へ挿入した状態において前記プラグの前記先端部分に当接する少なくとも１つのリング状の第２弾性部材を有してよい。この場合、前記第２弾性部材の内径は、前記第１弾性部材の内径に比べて小さくてよい。
【００１１】
好適に、上記装飾物保持具は、前記孔に前記プラグが挿入されていない状態において前記孔を塞ぐための蓋を有してよい。前記蓋は、前記孔に挿入された場合に前記第１弾性部材と当接する凸部を有してよい。
【００１２】
好適に、上記装飾物保持具は、前記孔が形成された本体部と、前記本体部に固定されたストラップとを有してよい。
【発明の効果】
【００１３】
本発明によれば、装飾物のプラグが挿入される孔の内壁に前記プラグと当接して変形する弾性部材が設けられているため、装飾物を安定に保持できる。
【図面の簡単な説明】
【００１４】
【図１】本発明の実施形態に係る装飾物保持具の一例を示す図であり、装飾物保持具に装飾物が装着された状態を示す。
【図２】本発明の実施形態に係る装飾物保持具の一例を示す図であり、装飾物保持具から装飾物が外された状態を示す。
【図３】図１に示す装飾物の正面図である。
【図４】図１に示す装飾物の平面図である。
【図５】図１に示す装飾物の底面図である。
【図６】装飾物をスマートフォンのイヤホンジャックに装着した状態を示す図である。
【図７】本体部の断面の一例を示す図である。
【図８】本発明の実施形態の一変形例における本体部の断面図である。
【図９】本発明の実施形態の他の変形例における本体部の断面図である。
【発明を実施するための形態】
【００１５】
以下、本発明の実施形態に係る装飾物保持具を説明する。
図１，図２は、本実施形態に係る装飾物保持具の一例を示す図である。図１は、装飾物保持具２０に装飾物１０が装着された状態を示す。図２は、装飾物保持具２０から装飾物１０が外された状態を示す。
【００１６】
図３〜図５は、装飾物１０の一例を示す図である。図３は装飾物１０の正面図であり、図４は装飾物１０の平面図であり、図５は装飾物１０の底面図である。図６は、装飾物１０をスマートフォン５０のイヤホンジャックに装着した状態を示す図である。
【００１７】
装飾物１０は、スマートフォンや携帯電話機等の電子機器に設けられたジャック（イヤホンジャック等）に差し込まれるプラグ１１を備える。また、装飾物１０は、プラグ１１の根元の基端部に固定された装飾体１４を有する。この装飾体１４は、装飾物１０のプラグ１１の全体を電子機器のジャックに装着した状態で、図６に示すように電子機器の外側に現れた状態となる。
【００１８】
図３〜図５に示す装飾物１０は、プラグ１１に基端部に固定された装飾体１４として、宝石１２とこれを支持するシャトン（宝石支持具）１３を有する。シャトン１３は、開口部を備えたカップ形状をしており、この開口部に宝石１２を収容し、開口部の周囲に形成された爪１３ａ，１３ｂ，１３ｃ，１３ｄによって宝石１２を固定する。
【００１９】
図３に示す装飾物１０のプラグ１１は、先端部分１１ｔに比べて根元部分１１ｒが太くなっている。図３の例において、プラグ１１の根元部分１１ｒは、プラグ１１の基端部から先端部に向かって沿って伸びた複数本の突条１５を有する。この突条１５が存在することにより、プラグ１１の根元部分１１ｒの横幅（電子機器のジャックに挿入する縦方向に対して垂直な横方向の幅）は先端部分１１ｔの横幅より太くなっている。
【００２０】
図１，図２に示す装飾物保持具２０は、装飾物１０のプラグ１１が挿入される孔２７が形成された本体部２１と、本体部２１に固定されたストラップ２３を有する。
孔２７は、本発明における孔の一例である。
本体部２１は、本発明における本体部の一例である。
ストラップ２３は、本発明におけるストラップの一例である。
【００２１】
図１，図２の例において、本体部２１は直方体状の形態を有する。この直方体の一端面に孔２７が形成され、当該一端面に対向する他方の端面に環状の留め具２２が形成される。環状の留め具２２には、丸環２６がつながれる。
【００２２】
ストラップ２３は、一方の端部と他方の端部とが留め具２４に固定されており、ループを形成する。ストラップ２３が固定された留め具２４には孔が形成され、その孔に丸環２５がつながれる。留め具２２につながれた丸環２５と留め具２４につながれた丸環２６とが互いに貫通してつながっているため、ストラップ２３は本体部２１につながれた状態となっている。このループ状のストラップ２３は、例えば、装飾物１０が装着されるスマートフォン等の電子機器に結ばれて使用される。
【００２３】
図７は、本体部２１の断面の一例を示す図であり、縦方向（装飾物１０のプラグ１１が挿入される方向）と平行な平面によって本体部２１の中央を切断した断面を表す。
孔２７の内壁には、ゴム等の弾力性を有する材料で形成された２つの弾性部材３１ａ，３１ｂが設けられている。
弾性部材３１ａ，３１ｂは、本発明における第１弾性部材の一例である。
【００２４】
弾性部材３１ａ，３１ｂは、図７の断面図の右横に示すようなリング状に形成される。孔２７の内壁にリング状の溝２８ａ，２８ｂが形成されており、弾性部材３１ａ，３１ｂはこの溝２８ａ，２８ｂに嵌合して本体部２１に固定される。装飾部１０のプラグ１１の全体が孔２７へ挿入されたとき、弾性部材３１ａ，３１ｂはプラグ１１の根元部分１１ｒに当接して変形する。すなわち、弾性部材３１ａ，３１ｂは、その内径がプラグ１１の根元部分１１ｒの横幅に比べて狭いため、装飾部１０のプラグ１１の全体が孔２７へ挿入されると、根元部分１１ｒ（特に突状１５）に当たって変形し、根元部分１１ｒを締め付けるように弾性力を生じる。これにより、装飾部１０のプラグ１１は、本体部２１の孔２７から容易に抜け落ちなくなり、安定に保持された状態となる。
【００２５】
以上説明したように、本実施形態に係る装飾物保持具２０によれば、装飾物１０のプラグ１１が挿入される孔２７の内壁にプラグ１１と当接して変形する弾性部材３１ａ，３１ｂが設けられているため、孔２７に挿入されたプラグ１１が弾性部材３１ａ，３１ｂの弾性力によって締め付けられて孔２７から容易に抜け落ちなくなる。従って、装飾物１０のプラグ１１を安定に保持することできる。
【００２６】
また、本実施形態に係る装飾物保持具２０によれば、本体部２１に固定されたストラップ２３を有しているため、このストラップ２３を利用して、装飾物１０が装着されるスマートフォン等の電子機器と本体部２１とをつなげることができる。これにより、電子機器のジャックを本来の用途で使用している間、装飾物１０を当該電子機器につながれた装飾物保持具２０に保持させておき、ジャックの使用が終わった後、直ちに装飾物１０をジャックに装着することが可能となる。すなわち、ジャックから外した装飾物１０を一時的に別の場所（鞄のポケットなど）に仕舞う場合のように、装飾物１０をいちいち探す手間がなくなるという利点が得られる。
また、装飾物保持具２０に装飾物１０を装着した状態において、その全体のデザインが装飾効果を発揮できるという利点も得られる。
【００２７】
次に、上述した装飾物保持具２０の変形例について説明する。
【００２８】
図８は、本実施形態に係る装飾物保持具２０の変形例を示す図であり、図７と同様に本体部２１の断面を表す。
図８の例において、装飾物保持具２０は、プラグ１１の根元部分１１ｒに当接する一の弾性部材３１ａの替わりに、これより内径の小さい弾性部材３２ａを有する。
弾性部材３２ａは、本発明における第２弾性部材の一例である。
【００２９】
孔２７の内径は、図８に示すように、プラグ１１の根元部分１１ｒに対応する入り口付近において太く、プラグ１１の先端部分１１ｔに対応する奥の部分において細くなっている。孔２７において内径が比較的細くなっている奥の部分の内壁には、弾性部材３２ａと嵌合するリング状の溝２９ａが形成される。弾性部材３２ａは、この溝２９ａに嵌合することで本体部２１に固定される。装飾部１０のプラグ１１の全体が孔２７へ挿入されたとき、弾性部材３２ａはプラグ１１の先端部分１１ｔと当接して変形する。すなわち、弾性部材３２ａは、その内径がプラグ１１の先端部分１１ｔの横幅に比べて狭いため、装飾部１０のプラグ１１の全体が孔２７へ挿入されると、先端部分１１ｔに当たって変形し、先端部分１１ｔを締め付けるように弾性力を生じる。
【００３０】
このように、プラグ１１の根元部分１１ｒと先端部分１１ｔの両方を弾性部材（３１ａ，３２ａ）により締め付けて本体部２１に固定することにより、装飾部１０のプラグ１１の全体が孔２７へ挿入されたとき、孔２７の中でプラグ１１にぐらつきが生じることを効果的に防止できる。
【００３１】
図９は、本実施形態に係る装飾物保持具２０の他の変形例を示す図であり、図７と同様に本体部２１の断面を表す。
図７の例において、装飾物保持具２０は、孔２７にプラグ１１が挿入されていない状態において孔２７を塞ぐための蓋４０を有する。蓋４０には、孔２７へ挿入された場合に弾性部材３１ａと当接する凸部４１が形成されている。突部４１の外径は弾性部材３１ａの内径より太いため、突部４１を孔２７へ挿入すると、弾性部材３１ａは突部４１を締め付けるように弾性力を発生し、これにより突部４１は孔２７から簡単に抜け落ちない状態となる。
【００３２】
このように、本体部２１の孔２７を塞ぐ蓋４０を設けることによって、孔２７の中に埃やゴミなどが溜まることを防止できる。
【００３３】
以上、本発明の一実施形態について説明したが、本発明は上述した実施形態に限定されるものではなく、他の種々のバリエーションを含んでいる。
【００３４】
例えば、上述した図７の例において、プラグ１１の根元部分１１ｒに当接する弾性部材の数は２つであり、図８の例では１つであるが、本発明はこの例に限定されるものではなく、弾性部材の数は任意である。
また、上述した図８の例において、プラグ１１の先端部分１１ｔに当接する弾性部材の数は１つであるが、本発明はこの例に限定されるものではなく、弾性部材の数は任意である。
【００３５】
また、上述した実施形態において、弾性部材は断面が円形のドーナツ状に形成されているが、本発明はこの例に限定されるものではない。例えば、本発明の他の実施形態において、弾性部材は断面が矩形のチューブ状に形成されてもよい。
【００３６】
また、本発明において弾性部材の形状はリング形状に限定されるものではなく、装飾物のプラグと当接して変形することにより弾性力を発生する他の様々な形状であってもよい。
【００３７】
また、上述した実施形態では、ストラップ２３によってスマートフォン等の電子機器につなげることが可能な装飾物保持具の例を挙げたが、本発明はこの例に限定されない。例えばボールペンなどの筆記具や、衣服のボタン、ベルトのバックルなど、様々な物品に本発明の装飾物保持具を組み合わせてもよい。
【符号の説明】
【００３８】
１０…装飾物、１１…プラグ、１１ｒ…プラグの根元部分、１１ｔ…プラグの先端部分、１２…宝石、１３…シャトン、１３ａ，１３ｂ，１３ｃ，１３ｄ…爪、１４…装飾体、１５…突条、２０…装飾物保持具、２１…本体部、２２，２４…留め具、２５，２６…丸環、２７…孔、２８ａ，２８ｂ，２９ａ…溝、３１ａ，３１ｂ，３２ａ…弾性部材、４０…蓋、４１…凸部。
【図１】
2013215489.tif 000003
【図２】
2013215489.tif 000004
【図３】
2013215489.tif 000005
【図４】
2013215489.tif 000006
【図５】
2013215489.tif 000007
【図６】
2013215489.tif 000008
【図７】
2013215489.tif 000009
【図８】
2013215489.tif 000010
【図９】
2013215489.tif 000011